(57)【要約】【課題】例えばＤＶＤレコーダやＢＤレコーダなどと呼ばれるレコーダ機器において、従来ではダビングモードとして「高速」「静音」の何れかしかなく、記録品質を優先したダビングを行うことができなかった。【解決手段】外部のホスト側制御部より記録部の記録速度を指示するための速度指示情報を受信したことに応じて、上記速度指示情報内に予め定められた所定データパターンが含まれるか否かを判別し、その判別結果に基づき、記録品質を優先した記録速度を設定する。これにより記録品質を優先したダビング動作を実現できると共に、ホスト側からドライブ側への記録品質優先の記録速度の設定指示を上記速度指示情報における上記所定データパターンの有無により行うようにしたことで、処理体系を従来から大幅に変更せずに済むものとでき、装置製造コスト増加を抑制できる。【選択図】図６
2011040127.tif 000002
【特許請求の範囲】
【請求項１】
記録媒体に対する記録を行うと共にその記録速度を変更可能に構成された記録部と、
ホスト側制御部より上記記録部の記録速度を指示するための速度指示情報を受信したことに応じて、上記速度指示情報内に予め定められた所定データパターンが含まれるか否かを判別し、その判別結果に基づき、記録品質を優先した記録速度を設定するドライブ側制御部と
を有するドライブユニットと、
上記ドライブユニットの外部に設けられ、上記記録部による記録動作についてのモードの別に応じて上記ドライブ側制御部に対して上記所定データパターンを含まない上記速度指示情報の送出、又は上記所定データパターンを含む上記速度指示情報の送出を行うホスト側制御部と
を備える記録装置。
【請求項２】
上記ドライブ側制御部は、
上記記録品質を優先した記録速度の設定として、予め上記記録媒体の種類ごとに定められた記録品質を最高とする最高品質速度の情報に基づく記録速度の設定を行う
請求項１に記載の記録装置。
【請求項３】
上記ホスト側制御部は、
上記記録媒体に対する記録開始指示が行われた場合に、上記モードの別に応じて上記所定データパターンを含まない上記速度指示情報の送出又は上記所定データパターンを含む上記速度指示情報の送出を行うと共に
上記モードの別に応じた上記速度指示情報の送出を行った後に、上記記録媒体に記録されるべきデータの上記ドライブユニット側に対する転送と上記ドライブ側制御部に対する上記データの上記記録媒体への記録の開始指示を行う
請求項２に記載の記録装置。
【請求項４】
上記ホスト側制御部は、
上記モードとして、記録速度を優先した記録を行う高速モード、静音を優先し低速での記録を行う静音モード、それら以外の第３のモードのうちから操作入力に基づいた１のモードを設定すると共に、
上記記録媒体に対する記録開始指示が行われた後において、設定モードが上記高速モード、静音モード、第３のモードのうち何れであるかを判別し、その結果設定モードが上記高速モード、静音モードであった場合は上記所定データパターンを含まない上記速度指示情報による速度指示を行い、設定モードが上記第３のモードであった場合は上記所定データパターンを含む上記速度指示情報の送出を行い、
上記ドライブ側制御部は、
上記ホスト側制御部より受信した上記速度指示情報に上記所定データパターンが含まれていない場合は上記速度指示情報により指示された記録速度に基づく記録速度を設定し、上記速度指示情報に上記所定データパターンが含まれる場合は上記記録品質を優先した記録速度を設定する
請求項３に記載の記録装置。
【請求項５】
上記ホスト側制御部は、
上記データの上記記録媒体への記録の完了後に電源を自動オフする機能の有効／無効を操作入力に基づき設定すると共に、
上記設定モードの判別の結果、設定モードが上記高速モードであった場合は、さらに上記電源を自動オフする機能が有効であるか否かを判別し、その結果上記機能が有効であった場合は上記ドライブ側制御部に対して上記所定データパターンを含む速度指示情報の送出を行う
請求項４に記載の記録装置。
【請求項６】
記録媒体に対する記録を行うと共にその記録速度を変更可能に構成された記録部と上記記録部を制御するドライブ側制御部とを備えたドライブユニットと、上記ドライブユニットの外部に設けられたホスト側制御部とを備える記録装置における記録速度設定方法であって、
上記記録部による記録動作についてのモードの別に応じて、上記記録部の記録速度を上記ホスト側制御部から上記ドライブ側制御部に対して指示するための速度指示情報として予め定められた所定データパターンを含む上記速度指示情報の送出、又は上記所定データパターンを含まない上記速度指示情報の送出を行うホスト側速度指示情報送出手順と、
上記ホスト側速度指示情報送出手順により送出した上記速度指示情報を受信したことに応じて、上記速度指示情報内に上記所定データパターンが含まれるか否かを判別し、その判別結果に基づき、記録品質を優先した記録速度を設定するドライブ側速度設定手順と
を有する記録速度設定方法。
【請求項７】
記録媒体に対する記録を行うと共にその記録速度を変更可能に構成された記録部と、
外部のホスト側制御部より上記記録部の記録速度を指示するための速度指示情報を受信したことに応じて、上記速度指示情報内に予め定められた所定データパターンが含まれるか否かを判別し、その判別結果に基づき、記録品質を優先した記録速度を設定するドライブ側制御部と
を備えるドライブ装置。
【請求項８】
上記ドライブ側制御部は、
上記記録品質を優先した記録速度の設定として、予め上記記録媒体の種類ごとに定められた記録品質を最高とする最高品質速度の情報に基づく記録速度の設定を行う
請求項７に記載のドライブ装置。
【発明の詳細な説明】
【技術分野】
【０００１】
本発明は、記録装置に関するものであり、特に独立した制御部（ドライブ側制御部）を備えて記録媒体に対する記録を行うドライブユニットと該ドライブユニット外部に設けられた制御部（ホスト側制御部）とを備えた記録装置に関する。また、そのような記録装置における記録速度設定方法に関する。さらには、上記ドライブユニットとしてのドライブ装置に関する。
【先行技術文献】
【特許文献】
【０００２】
【特許文献１】特開２００３−１３２５４５号公報
【背景技術】
【０００３】
例えばＤＶＤ（Digital Versatile Disc）やＢＤ（Blu-ray Disc：登録商標）などの光ディスク記録媒体についてのドライブ装置と、ＨＤＤ（Hard Disk Drive）などの大容量記録媒体についてのドライブ装置とを内蔵して、一方の記録媒体から他方の記録媒体へのデータダビングが可能に構成されたレコーダ機器（一般にはＤＶＤレコーダやＢＤレコーダなどと呼ばれる）が広く普及している。
【０００４】
このようなレコーダ機器には、ダビング時の記録速度を変更可能に構成されたものがある。そして、この点を利用し、従来のレコーダ機器には、高速ダビングモード、静音ダビングモードといった複数のモードによるダビングを選択可能に構成されたものがある。
具体的に、上記高速ダビングモードは、記録速度優先のダビングモードであり、可能な限り記録速度を高めて（つまりドライブとメディアとの組み合わせで決まる最高記録速度を設定して）ダビング時間の短縮化を図るモードとなる。
また、上記静音ダビングモードは、記録速度を低速（例えば２倍速など）に設定することでダビング時に生じる騒音（ディスク回転音など）の低減を図るモードとなる。
【０００５】
図８は、上記のような高速ダビングモード、静音ダビングモードによるダビング動作を実現するためにレコーダ機器において行われるべき処理動作を示している。
ここで確認のために述べておくと、ＤＶＤレコーダやＢＤレコーダなどのレコーダ機器には、通常、光ディスクドライブには独立した制御部（マイクロコンピュータ）が設けられており、従ってレコーダ機器全体で見れば、当該光ディスクドライブ側の制御部（ドライブ側制御部と称する）と、レコーダ機器の全体制御を行う制御部（レコーダ側制御部、或いはホスト側制御部と称する）との２つの制御部が存在することになる。
図８において、レコーダ側として示す処理は、上記レコーダ側制御部（ホスト側制御部）により行われるべき処理を示すものであり、ドライブ側として示す処理は上記ドライブ側制御部により行われるべき処理を示している。
【０００６】
先ず、レコーダ側制御部は、ダビング開始指示が為されるまで待機するようにされており（Ｓ１００１）、ダビング開始指示が為された場合は、先ずはドライブ側に対してパフォーマンス通知要求を行う。ここでドライブ側では、例えばスタートアップ動作時などにおいて、装填された光ディスクについて設定可能な記録速度（記録可能速度）の情報を取得しており、レコーダ側は、先ずはこのような記録可能速度の情報（＝パフォーマンス情報）を通知するようドライブ側に要求を行うものである。
【０００７】
ドライブ側では、レコーダ側からの上記パフォーマンス通知要求が為されるのを待機しており（Ｓ２００１）、上記パフォーマンス通知要求が為された場合は、レコーダ側に対してパフォーマンス情報の通知を行う（Ｓ２００２）。
【０００８】
レコーダ側では、ドライブ側からの上記パフォーマンス情報の通知を受けた上で、設定されたダビングモードが高速ダビングモードであるか否かの判別を行う（Ｓ１００３→Ｓ１００４）。
高速ダビングモードが設定されていた場合は、ドライブ側に対し、最高速度の指示を行う（Ｓ１００５）。具体的には、上記パフォーマンス情報により示される記録可能な速度のうちの最高速となる記録速度を指示するものである。
【０００９】
また、レコーダ側では、設定されたダビングモードが高速ダビングモードではない（つまり静音ダビングモードである）と判別した場合は、ドライブ側に対して静音用速度の指示を行う（Ｓ１００６）。例えば静音ダビングモード時に対応して設定される上記静音用速度としては、先に例示したように例えば２倍速を設定する。なお、上記パフォーマンス情報によりドライブ側が２倍速の記録速度に対応していないとされる場合には、対応可能な記録速度のうちで２倍速に近い記録速度を指示する。
【００１０】
一方、ドライブ側では、レコーダ側より上記最高速度、又は上記静音用速度を指示する速度指示情報が受信された場合には、指示された速度情報の取得処理を行う（Ｓ２００３→Ｓ２００４）。この場合、レコーダ側からドライブ側への記録速度の指示は、例えば記録データ長と記録時間長の情報の組み合わせで為されるようにされており、これに対応してドライブ側では、これら記録データ長と記録時間長の情報に基づき、指示された速度の情報を取得（計算）する処理を行う。
【００１１】
レコーダ側では、上述のようにしてドライブ側に対して記録速度の指示（Ｓ１００５又はＳ１００６）を行った後に、ＯＰＣ（Optimum Power Control）の実行指示を行う（Ｓ１００７）。
【００１２】
ドライブ側では、このようなレコーダ側からのＯＰＣ実行指示に応じて、ＯＰＣによるチェックを行う。
具体的には、レコーダ側からのＯＰＣ実行指示があったことに応じて、上記取得した指示速度によるＯＰＣを実行させた上で、その結果がＯＫであったか否か（例えば基準値以上の評価値が得られたか否か）を判別する（Ｓ２００５→Ｓ２００７）。
このとき、ＯＰＣの結果がＯＫとならなかった場合は、記録速度を下げてＯＰＣをリトライさせた後、再びＯＰＣの結果がＯＫであったか否かを判別する（Ｓ２００７→Ｓ２００８→Ｓ２００７）。つまりこれにより、実際に可能な記録速度への調整が為されるように図られている。
【００１３】
さらに、上記のようなＯＰＣによるチェックがＯＫとされた場合は、レコーダ側に対してＯＰＣ成功通知を行う（Ｓ２００９）。
【００１４】
レコーダ側では、ドライブ側からの上記ＯＰＣ成功通知が為された場合は、ドライブ側へのライトコマンドの発行を行った後、データ転送を開始する（Ｓ１００８→Ｓ１００９→Ｓ１０１０）。
そしてドライブ側では、上記ライトコマンドの発行に応じて、レコーダ側からの転送データの記録を開始させる（Ｓ２０１０→Ｓ２０１１）。すなわち、上記ＯＰＣによるチェックでＯＫとなった記録速度による記録を開始させるものである。
【００１５】
レコーダ側、ドライブ側にて上記のような処理が実行されることで、従来のレコーダ機器では、上述した高速ダビングモード、静音ダビングモードによるダビング動作が実現される。
【発明の概要】
【発明が解決しようとする課題】
【００１６】
ここで、高速ダビングモードによれば、可能な限り記録速度を高めたダビング動作を実現できるので、記録時間を有効に短縮化することができるが、その反面、記録品質が犠牲となる虞がある。
一方、静音ダビングモードは、記録速度を例えば２倍速など非常に低速に設定することで、ディスク回転に伴う騒音の低減を図ることができる。
【００１７】
ここで、記録品質の面で見ると、低速によるダビングが行われる静音ダビングモードの方が、最高記録速度が設定される高速ダビングモードよりも有利であると考えることができる。
しかしながら、近年、例えば８倍や１６倍などといった高倍速対応のメディアが広く普及している点に鑑みると、上記のようにして２倍速などの非常に低速な記録速度を設定する静音ダビングモードは、必ずしも記録品質を向上できるとは限らない。すなわち、高倍速対応のメディアに対するダビング時には、返って記録品質を悪化させてしまう虞がある。
【００１８】
従来のレコーダ機器では、ダビング時にユーザが設定可能なモードは、上記の高速ダビングモードと静音ダビングモードに限られている。
つまり、上記のような記録品質面での事情に鑑みると、従来のレコーダ機器は、ユーザが記録品質を優先させたダビングを実行させたくとも確実にそれを実現するモードが設けられていない状態となっており、結果として、記録品質を優先させたいユーザの要望に応えることができないものとなっている。
【００１９】
また、先の説明からも理解されるように、レコーダ機器は、ドライブ側とレコーダ側（ホスト側）の相互の制御部の間で通信を行って所要の記録速度によるダビング動作を実現するものとなっている。
この点に鑑みると、新たに記録品質を優先するダビングモードを実現するとしても、ホスト側とドライブ側との間の処理体系は大幅に変更されないことが望ましいものとなる。すなわち、処理体系が大幅に変更される場合には、各制御部のプログラムデータの変更に相応の手間や時間を要するものとなり、結果として装置開発コスト（製造コスト）の増加を招くためである。
【課題を解決するための手段】
【００２０】
そこで本発明では、記録装置として以下のように構成することとした。
つまり、本発明の記録装置は、記録媒体に対する記録を行うと共にその記録速度を変更可能に構成された記録部と、ホスト側制御部より上記記録部の記録速度を指示するための速度指示情報を受信したことに応じて、上記速度指示情報内に予め定められた所定データパターンが含まれるか否かを判別し、その判別結果に基づき、記録品質を優先した記録速度を設定するドライブ側制御部とを有するドライブユニットを備える。
また、上記ドライブユニットの外部に設けられ、上記記録部による記録動作についてのモードの別に応じて上記ドライブ側制御部に対して上記所定データパターンを含まない上記速度指示情報の送出、又は上記所定データパターンを含む上記速度指示情報の送出を行うホスト側制御部とを備えるものである。
【００２１】
上記本発明によれば、上記記録部の記録動作についてのモードの別に応じて、記録品質を優先した記録速度を設定できる。つまりこれにより、記録品質を優先したダビングモードを実現することができる。
また上記本発明では、ホスト側制御部からドライブ側制御部に記録速度を指示するための速度指示情報に対して、予め定められた所定データパターンを含ませるか否かにより、ドライブ側で記録品質優先の記録速度を設定すべきか否かを表すようにしている。
このような手法とすることで、ホスト側、ドライブ側の処理体系を従来の処理体系から大幅に変更せずに、記録品質を優先したダビングモードを実現できる。
【発明の効果】
【００２２】
上記のようにして本発明によれば、記録品質を優先したダビングモードを、ホスト側、ドライブ側の処理体系を従来から大幅に変更せずに実現することができる。
このことで、記録品質優先のダビングモードの実現化にあたり、装置製造コストの増加を効果的に抑制できる。
【図面の簡単な説明】
【００２３】
【図１】実施の形態の記録装置の内部構成を示した図である。
【図２】実施の形態の記録装置が内蔵するドライブユニット（装置）の内部構成を示した図である。
【図３】ダビング設定を行う際の操作手順について説明するための図である。
【図４】最高品質速度対応情報のデータ構造例を示した図である。
【図５】ダビング設定時に対応して実行されるべき具体的な処理の手順を示したフローチャートである。
【図６】ダビング動作時に対応して実行されるべき具体的な処理の手順を示したフローチャートである。
【図７】ダビング設定をダビング開始指示の為されたタイミングで行う場合に対応して実行されるべき処理の手順を示したフローチャートである。
【図８】従来におけるダビング動作時の処理手順を示したフローチャートである。
【発明を実施するための形態】
【００２４】
以下、発明を実施するための最良の形態（以下実施の形態とする）について説明していく。
なお、説明は以下の順序で行うものとする。
＜１．装置構成＞
[1-1．記録装置の内部構成]
[1-2．ドライブ装置の内部構成]
＜２．ダビング設定について]
＜３．おまかせモード（記録品質優先のダビングモード）＞
＜４．自動電源オフ機能が有効である場合の対処＞
＜５．具体的な処理手順＞
[5-1．ダビング設定時の処理手順]
[5-2．ダビング動作時の処理手順]
＜６．実施の形態のまとめ＞
＜７．変形例＞
【００２５】
＜１．装置構成＞
[1-1．記録装置の内部構成]
図１は、本発明の記録装置の一実施形態としてのレコーダ１の内部構成を示した図である。
このレコーダ１は、光ディスクＤについてのドライブ装置（光ディスクドライブ２２）とＨＤＤ（Hard Disc Drive）２３としての大容量記録媒体についてのドライブ装置（大容量記憶装置）とを備えると共に、ＴＶ（テレビジョン）放送に対応したチューナ１１を備えて、ＴＶ放送コンテンツとしてのＡＶデータ（映像データ及び音声データ）をＨＤＤ２３や光ディスクＤに記録することが可能とされている。またレコーダ１は、上記２つのドライブ装置の一方から他方へのデータダビングが可能に構成される。つまりレコーダ１は、いわゆるＤＶＤ（Digital Versatile Disc）レコーダ、ＢＤ（Blu-ray Disc：登録商標）レコーダなどと呼ばれるレコーダ機器とされる。
【００２６】
ここで、本明細書においてダビングとは、一方の記録媒体に記録されるデータを他方の記録媒体に記録する動作を指す。
なお、テレビ放送関連の業界では、著作権保護を目的としたコピー制限に関する用語として「ムーブ」（ダビング元の記録媒体からダビングデータを消去する）という用語が存在するが、上記の定義からも明らかなように、本明細書において言うダビングにはこのような「ムーブ」も包含されるものとなる。
【００２７】
図１において、本実施の形態のレコーダ１は、地上デジタル放送に対応する。
地上デジタル放送による放送信号は、レコーダ１外部に設けられたアンテナ１０を介してレコーダ１が備えるアンテナ入力端子Ｔinに供給され、当該アンテナ入力端子Ｔinからチューナ１１に対して入力される。
チューナ１１ は、図示するＣＰＵ（Central Processing Unit）１８の制御に基づいて、選局された放送チャンネルのデータが存在するキャリアのチューニング、すなわちキャリア選択を行い、選択したキャリアとしての受信データを復調・選局部１２に出力する。
【００２８】
復調・選局部１２は、上記受信データに対しビタビ復調処理や誤り訂正処理を施すことで、ＴＳ（Transport Stream）を得ると共に、当該ＴＳから、ＣＰＵ１８より設定されたフィルタ条件に従って必要なＴＳパケットを取得する。つまりこれにより、選局された放送チャンネルで放送中の番組（プログラム）についてのＴＳパケットが得られる。
確認のために述べておくと、上記ＴＳには、ＭＰＥＧ２（Moving Picture Coding Experts Group２）方式で圧縮された映像データ・音声データ、及びデータ放送用データが多重化されている。なお、データ放送用データとは、放送コンテンツ本体に付随するデータ、即ち例えばＥＰＧ（Electric Program Guide：電子番組ガイド）データ等である。
復調・選局部１２は、上記ＴＳから取得した上記ＥＰＧデータ等のデータ放送用データをＣＰＵ１８に対して出力する。ＣＰＵ１８は、当該データ放送用データについて所定のアプリケーションに従って所定の処理を実行することで、例えばＥＰＧデータに基づく番組表画面データなどの作成を行うことができる。
【００２９】
また復調・選局部１２は、上記ＴＳから取得した選局チャンネルの放送番組についての圧縮映像データ、圧縮音声データのＴＳパケットを、デコーダ１３に対して供給する。なお、このようにデコーダ１３に供給される圧縮ビデオデータ、圧縮オーディオデータは、ＰＥＳ(Packetized Elementary Stream)と呼ばれる。
【００３０】
デコーダ１３は、上記復調・選局部１２より供給される上記圧縮映像データ及び圧縮音声データについてのデコード（伸張）処理を行う。
上記圧縮音声データについてのデコード処理により得られた音声信号は、音声出力端子ＴAを介して外部接続されたスピーカ２６に出力される。
また、上記圧縮映像データをデコードして得られた映像データは、コンポーザ１７に供給された後、映像出力端子ＴVを介し外部接続されたディスプレイ２７に出力される。
ディスプレイ２７は、供給された映像信号に基づく表示動作を行う。
なお、ここではスピーカ２６とディスプレイ２７とが別体とされる場合を示しているが、これらは一体とすることもできる。
【００３１】
また、デコーダ１３は、ＨＤＤ２３や光ディスクＤに記録された映像コンテンツの再生時において、上記ＨＤＤ２３や光ディスクドライブ２２からバス１６経由で供給される圧縮ＡＶデータ（ＭＰＥＧ２データ）についてのデコード（伸張）処理も行うようにされる。
【００３２】
ここで、図中のＲＡＭ１４は、デコーダ１３が上記によるデコード処理などの各種の処理を実行する際の作業データを一時保持するためのメモリとして用いられる。
【００３３】
コンポーザ１７は、ＣＰＵ１８からの指示に基づいて、デコーダ１３から供給される映像データに対してＣＰＵ１８が生成する例えば設定メニュー画面などの各種表示画面データを合成する。またコンポーザ１７は、ＣＰＵ１８の指示に基づき、上記表示画面データのみを映像出力端子ＴVに出力する。
【００３４】
ユーザインタフェース（U/I）制御部１５は、ユーザからの入力操作を処理するモジュールであり、この場合は、図中のリモートコマンダ２５がユーザの操作入力に応じて発信する信号（例えば赤外線信号など）を受信するための受信部１５ａを備える。ユーザインタフェース制御部１５は、上記受信部１５ａで受信された信号に基づき、ＣＰＵ１８にユーザの操作入力に応じた操作入力情報を供給する。
なお、もちろん、レコーダ１の筐体外面部にユーザ操作入力を可能とするための操作子を設けることもでき、その場合、ユーザインタフェース制御部１５は、上記操作子に対する操作を検出し、その結果に応じた操作入力情報をＣＰＵ１８に供給するように構成すればよい。
【００３５】
ＨＤＤ２３は、内蔵するハードディスク（磁気記録媒体）に対するデータの記録／再生が可能に構成され、例えば放送コンテンツとしてのＡＶデータなどの各種のデータが蓄積される。本例の場合、ハードディスクの記録容量は例えば数１００ＧＢ（ギガバイト）程度、又は数ＴＢ（テラバイト）程度とされる。
ＨＤＤ２３は、バス１６を介して接続されたＣＰＵ１８からの制御に基づいて、当該ＣＰＵ１８やデコーダ１３から供給されるデータの記録や、記録データの再生を行う。
【００３６】
光ディスクドライブ２２は、装填された光ディスクＤに対してレーザ光の照射により信号の記録再生を行う。光ディスクＤに記録されるべきデータ及び光ディスクＤから再生したデータは、バス１６経由で光ディスクドライブ２２に入出力される。
なお、光ディスクドライブ２２の内部構成については後に改めて説明する。
【００３７】
ＣＰＵ１８は、レコーダ１の全体制御を行うメインコントローラであり、オペレーティングシステム（ＯＳ）により提供されるプラットフォーム上で各種のアプリケーション（プログラム）を実行する。
ＣＰＵ１８に対してはＲＯＭ（Read Only Memory）１９が接続されており、ＣＰＵ１８は、当該ＲＯＭに格納されたプログラムに従った処理を実行することで、レコーダ１の全体制御を行うようにされる。
またＣＰＵ１８に対してはＲＡＭ（Random Access Memory）２０が接続され、当該ＲＡＭ２０はＣＰＵ１８のワーク領域として使用される。
【００３８】
ここで、ＣＰＵ１８、ＲＯＭ１９、ＲＡＭ２０は、マイクロコンピュータを形成し、レコーダ１の全体制御を行う制御部として機能する。
以下、これらＣＰＵ１８、ＲＯＭ１９、ＲＡＭ２０による制御部については、レコーダ側制御部２１と称する。
【００３９】
なお、この図１においては、レコーダ１が地上デジタル放送のみを受信可能に構成されるものとしたが、例えばデジタル（又はアナログ）ＢＳ放送やデジタル（又はアナログ）ＣＳ放送を受信可能に構成とすることもできる。
【００４０】
[1-2．ドライブ装置の内部構成]
図２は、図１に示した光ディスクドライブ２２の内部構成を示している。
光ディスクドライブ２２に装填された光ディスクＤは、図中のスピンドルモータ（ＳＰＭ）３０によって回転駆動される。そして、このように回転駆動される光ディスクＤに対して記録／再生のためのレーザ光照射を行う光学ピックアップ（ＯＰ）３１が備えられる。当該光学ピックアップ３１には、レーザ光源であるレーザダイオードと、上記光ディスクＤからの反射光を受光するフォトディテクタとが設けられると共に、上記レーザダイオードから出射されたレーザ光を対物レンズを介して上記光ディスクＤに照射し且つ、上記光ディスクＤからの反射光を上記対物レンズを介して上記フォトディテクタに導く光学系が形成されている。
【００４１】
また、光ディスクドライブ２２には、図１に示したレコーダ１の本体側との間でデータ通信を行うための通信インタフェース部３８と、光ディスクＤについての記録／再生を行うための記録処理／再生処理を行う記録再生処理部３２とが設けられる。
【００４２】
記録再生処理部３２は、上記記録処理として、上記通信インタフェース部３８を介してレコーダ１本体側から供給されるデータ（例えばＨＤＤ２３から供給された圧縮ＡＶデータなど）に基づくレーザ駆動信号を生成する処理を行い、当該レーザ駆動信号に基づき光学ビックアップ３１内のレーザダイオードを駆動することで、光ディスクＤに対する記録を行う。
また記録再生処理部３２は、上記再生処理として、光学ピックアップ３１内のフォトディテクタにより得られた受光信号に基づき上記光ディスクＤに記録された情報についての再生信号（ＲＦ信号）を得ると共に、当該再生信号についての２値化処理などを行って再生データを得る処理を行う。
【００４３】
また、本実施の形態の場合、記録再生処理部３２は、光ディスクＤに対する記録速度の変更が可能に構成されている。つまり、設定された記録速度に応じてスピンドルモータ３０の回転速度、及びレーザ駆動信号生成のためのクロック周波数を変化させることで、記録速度を変更する。
【００４４】
また、光ディスクドライブ２２には、当該光ディスクドライブ２２の全体制御を行うドライブ側制御部３６が設けられる。ドライブ側制御部３６は、ＣＰＵ３３、ＲＯＭ３４、ＲＡＭ３５を備えたマイクロコンピュータで構成され、例えば上記ＲＯＭに格納されたプログラムに従った処理を実行することで光ディスクドライブ２２の全体制御を行うようにされている。
【００４５】
ここで、ドライブ側制御部３６（ＣＰＵ３３）と図１に示したレコーダ側制御部２１（ＣＰＵ１８）との間では、上記通信インタフェース部３８を介してデータ（コマンドを含む）の授受が行われる。
例えば、図１に示したＣＰＵ１８より光ディスクＤに対するデータの記録を指示するライトコマンドが与えられた場合、ＣＰＵ３３は、記録再生処理部３２に対する指示を行って、上記通信インタフェース部３８を介してレコーダ１本体側から転送されてくるデータの光ディスクＤへの記録を実行させる。
また、ＣＰＵ３３は、ＣＰＵ１８より光ディスクＤに記録されたデータの再生を指示するリードコマンドが与えられた場合は、記録再生処理部３２に対する指示を行って光ディスクＤに記録された上記データについての再生処理を実行させると共に、当該再生処理により得られた再生データを通信インタフェース部３８を介してレコーダ１本体側（例えばＨＤＤ２３など）に転送する。
【００４６】
また本実施の形態において、ＣＰＵ３３は、ＣＰＵ１８からの指示に基づき、記録再生処理部３２による記録速度を設定するものとなるがこれについては後述する。
【００４７】
また、上記ＣＰＵ３３に対しては、不揮発性メモリ３７が接続される。
図示するように不揮発性メモリ３７には、記録速度パフォーマンス情報３７ａと、最高品質速度対応情報３７ｂとが記憶されている。
上記記録速度パフォーマンス情報３７ａは、光ディスクＤのメディア種類ごとに、設定可能な記録速度の情報が対応づけられた情報とされる。
ここでメディア種類としては、例えばＣＤ（Compact Disc）／ＤＶＤ／ＢＤの別や、これらＣＤ／ＤＶＤ／ＢＤの別にさらに書き替え不能型／書き替え可能型の別を加えたものや、さらにそれらの別に製造メーカの別を加えたものなどを挙げることができる。
本例の場合、「メディア種類」とは、光ディスクＤをその特性ごとに区分した種類であり、具体的には、光ディスクＤに記録されるＭＩＤ（Manufacturer ID）の別で識別されるものである。つまりこの場合における上記記録速度パフォーマンス情報３７ａは、ＭＩＤごとに設定可能な記録速度の情報が対応づけられたものとなる。
確認のために述べておくと、このような記録速度パフォーマンス情報３７ａは、予めそれぞれのメディア種類の光ディスクＤについて実際に記録を行ってその信号品質を評価した結果に基づき作成されるものである。
【００４８】
なお、不揮発性メモリ３７に記憶される上記最高品質速度対応情報３７ｂについては後述する。
【００４９】
ここで、光ディスクドライブ２２には、実際には対物レンズの２軸機構やフォーカス、トラッキングなどの各種のサーボ動作を実現するためのサーボ回路など、光ディスクＤ上の記録／再生位置を制御するための構成が設けられるが、本実施の形態においてそれらの構成については特別な構成が採用される必要性はなく、またそのような構成は周知技術であるため、図２においては図示を省略するものとした。
【００５０】
＜２．ダビング設定について＞
上記により説明した本実施の形態としてのレコーダ１では、ＨＤＤ２３（ハードディスク）に記録されたデータを、光ディスクドライブ２２に装填された光ディスクＤに対して記録する（ダビングする）ことが可能とされている。
本実施の形態においては、このようなＨＤＤ２３から光ディスクＤへのダビング動作についてのモードとして、従来と同様の高速ダビングモード、静音ダビングモードに加えて、さらに記録品質を優先したダビング動作を実現するためのモード（以下、おまかせダビングモードと称する）を追加する。
【００５１】
また本実施の形態のレコーダ１には、ダビング動作の完了後に自動的に電源をオフとする自動電源オフ機能が与えられている。
またこのような自動電源オフ機能は、ユーザ操作によりその有効／無効が設定可能とされる。
【００５２】
図３は、上記による各ダビングモードの選択（指定）、及び上記自動電源オフ機能の有効／無効の設定を行うためのユーザの操作手順について説明するための図である。
先ず、上記ダビングモードの指定、及び上記自動電源オフ機能の有効／無効の設定としてのダビング設定を行うとしたとき、ユーザは、例えば図１に示したリモートコマンダ２５を利用した操作入力を行って、レコーダ１にダビング設定画面の表示指示を行う。
【００５３】
図３（ａ）は、このような指示に応じてディスプレイ２７に表示されるダビング設定画面の例を示している。
図示するようにダビング設定画面には、「ダビングモード」ボタンと、「自動電源オフ機能」ボタンと共に、高速ダビングモードを表す「高速」ボタン、静音ダビングモードを表す「静音」ボタン、及びおまかせダビングモードを表す「おまかせ」ボタンと、さらに自動電源オフ機能の有効を表す「有効」ボタンと同機能の無効を表す「無効」ボタンとが表示される。また、設定完了を指示するための「設定完了」ボタンも表示される。さらには、これらのボタン（アイコン）を選択するためのカーソルＣＲも表示される。
【００５４】
このようなダビング設定画面において、ユーザは、リモートコマンダ２５に設けられた方向キーなどを利用した方向指示操作を行うことで、上記カーソルＣＲを、「ダビングモード」ボタンと「自動電源オフ機能」ボタンと「設定完了」ボタンとの間で移動させることができる。
そして、リモートコマンダ２５に設けられた例えば決定キーなどの所定キーの操作による決定操作を行うことで、上記カーソルＣＲによって指し示されたボタンの指定を行うことができる。
【００５５】
図３（ｂ）は、図３（ａ）に示されるように上記カーソルＣＲによって「ダビングモード」ボタンが指し示された状態で上記決定操作が行われたことに応じて表示される画面を示している。
この図３（ｂ）に示されるように、「ダビングモード」ボタンを指定することによっては、カーソルＣＲが「高速」ボタン、「静音」ボタン、「おまかせ」ボタンの何れかを選択可能な領域に移動する（図中ではカーソルＣＲが「高速」ボタンに移動する例を示している）。
【００５６】
この状態において、ユーザは上記方向指示操作を行うことでカーソルＣＲを「高速」ボタン、「静音」ボタン、「おまかせ」ボタンの間で移動させることができ、また、上記決定操作を行うことで、上記カーソルＣＲによって指し示されたボタンの指定（つまりこの場合は「高速」「静音」「おまかせ」からのダビングモードの指定）を行うことができる。
【００５７】
また、図示は省略したが、「自動電源オフ機能」ボタンが指定された場合には、カーソルＣＲが「有効」ボタン又は「無効」ボタンの何れかを選択可能な領域に移動する。
上記ダビングモードの選択時と同様に、ユーザは方向指示操作を行うことで、カーソルＣＲを「有効」ボタンと「無効」ボタンとの間で移動させることができ、また、上記決定操作を行うことで、上記カーソルＣＲによって指し示されたボタンの指定（つまりこの場合は「有効」「無効」の設定）を行うことができる。
【００５８】
また、上記「高速」「静音」「おまかせ」の何れかのボタンの指定操作が行われた場合は、カーソルＣＲが例えば「自動電源オフ機能」ボタンに移動して、当該カーソルＣＲにより「ダビングモード」ボタン、「自動電源オフ機能」ボタン、「設定完了」ボタンの何れかを選択可能な状態に戻される。
同様に、上記「有効」「無効」の何れかのボタンの指定操作が行われた場合も、カーソルＣＲが「ダビングモード」ボタン、「自動電源オフ機能」ボタン、「設定完了」ボタンの何れかを選択可能な状態に戻される（この場合は例えば「設定完了」ボタンに移動する）。
【００５９】
ここで、ユーザは、上記カーソルＣＲにより上記「設定完了」ボタンが指し示された状態にて上記決定操作を行うことで、レコーダ１に対してダビング設定の完了を通知することができる。
【００６０】
なお、ここで例示したダビング設定画面の表示内容、及びそれに応じたユーザ操作手順の内容はあくまで一例を示したものに過ぎず、上記の内容に限定されるべきものではない。
【００６１】
＜３．おまかせモード（記録品質優先のダビングモード）＞
本実施の形態のレコーダ１は、ダビングモードとして「おまかせ」ダビングモードが指定された場合は、記録品質を優先したダビング動作を実行する。
具体的には、予め光ディスクＤのメディア種類ごとに定められた記録品質を最高とする最高品質速度の情報に基づく記録速度を設定したダビング動作を行う。
【００６２】
このような「おまかせ」ダビングモードによるダビング動作を実現するために、本例のレコーダ１においては、光ディスクドライブ２２内に先の図２に示した最高品質速度対応情報３７ｂを保持させておくものとしている。
【００６３】
図４は、上記最高品質速度対応情報３７ｂのデータ構造例を示した図である。
この図４に示されるように、最高品質速度対応情報３７ｂは、光ディスクＤのメディア種類ごとに、最高品質が得られる記録速度（最高品質速度）の情報を対応づけた情報とされる。
先に述べたように、本例の場合、メディア種類の別は光ディスクＤに記録されたＭＩＤの別であり、従って最高品質速度対応情報３７ｂは、ＭＩＤごとに最高品質速度の情報を対応づけたものとなる。
このような最高品質速度対応情報３７ｂとしても、先の記録速度パフォーマンス情報３７ａと同様、予めそれぞれのメディア種類の光ディスクＤについて実際に記録を行ってその信号品質を評価した結果に基づき作成される。
【００６４】
ここで、光ディスクドライブ２２では、例えば光ディスクＤが装填されたタイミングなどで実行されるスタートアップ動作により、光ディスクＤのメディア種類の特定が行われる。具体的にこの場合、上記スタートアップ動作時には光ディスクＤに記録されたＭＩＤの情報が読み出され、これによって光ディスクＤのメディア種類の情報が特定されることになる。
【００６５】
ダビングモードとして「おまかせ」ダビングモードが指定されていた場合は、上記のようにしてスタートアップ動作時などに特定された光ディスクＤのメディア種類の情報に基づき、上記最高品質速度対応情報３７ｂから対応する最高速度情報を取得し、当該取得した最高品質速度に基づく記録速度によるダビング動作を行う。
これにより、記録品質を優先したダビング動作が実現される。
【００６６】
＜４．自動電源オフ機能が有効である場合の対処＞
ここで、前述したように本実施の形態のレコーダ１では、ダビング動作の完了後に自動的に電源をオフとする機能が与えられ、またこのような自動電源オフ機能の有効／無効をユーザ操作により設定できるようにしている。
【００６７】
このとき、自動電源オフ機能が有効に設定されるということは、ユーザはダビング動作を急いで完了させることを望んでいないと推定することができ、従ってダビング時間に余裕があるとみなすことができる。
【００６８】
そこで本実施の形態では、ダビングモードが「高速」ダビングモードに設定されていたとしても、自動電源オフ機能が有効に設定される場合には、自動的に「おまかせ」モードに相当する記録品質優先のダビング動作を行う。
これにより、記録品質の優先度をさらに高めることができる。
【００６９】
＜５．具体的な処理手順＞
[5-1．ダビング設定時の処理手順]
続いて、本実施の形態のレコーダ１にて実行される具体的な処理の手順について、次の図５、図６を参照して説明する。
図５のフローチャートは、先の図３を参照して説明したダビング設定時に対応して実行されるべき具体的な処理の手順を示している。
なおこの図５をはじめとして以下でフローチャートにより示す処理に関して、「レコーダ側」として示す処理は、図１に示したＣＰＵ１８（レコーダ側制御部２１）がＲＯＭ１９に格納されたプログラムに従って実行するものである。すなわち、ホスト側の処理である。
また、「ドライバ側」として示す処理は、図２に示したＣＰＵ３３（ドライブ側制御部３６）がＲＯＭ３４に格納されたプログラムに従って実行するものである。
【００７０】
図５において、レコーダ側制御部２１（ＣＰＵ１８）は、図中のステップＳ１０１の処理により、ダビング設定画面の表示指示が為されるまで待機するようにされている。
ユーザの操作入力として、ダビング設定画面の表示を指示する操作入力が行われ、上記ステップＳ１０１においてダビング設定画面の表示指示が為されたとの肯定結果が得られた場合は、ステップＳ１０２に処理を進める。
【００７１】
ステップＳ１０２においては、ダビング設定画面の表示処理を行う。すなわち、例えば先の図３（ａ）に示したようなダビング設定画面としての表示画面データを生成し、これをコンポーザ１７に対して供給して、ディスプレイ２７にダビング設定画面の表示を行わせる。
【００７２】
続くステップＳ１０３では、設定受付処理として、ダビング設定の受付処理を行う。具体的には、前述した方向指示操作や決定操作に応じた画面更新処理などを行って、ユーザによるダビング設定の受付を行うものである。
また、次のステップＳ１０４では、設定完了であるか否かを判別する。すなわち、図３に示した「設定完了」ボタンの指定が行われたか否かを判別するものである。ステップＳ１０４において、上記「設定完了」ボタンの指示が行われておらず設定完了ではないとの否定結果が得られた場合は、ステップＳ１０３に戻り、引き続き上記ダビング設定の受付処理を実行する。
またステップＳ１０４において、設定完了であるとして肯定結果が得られた場合は、ステップＳ１０５に処理を進める。
【００７３】
ステップＳ１０５では、おまかせモードが指定されたか否かを判別する。
おまかせモードが指定されたとして肯定結果が得られた場合は、ステップＳ１０８において、おまかせモード設定処理を行う。
ここで、本実施の形態の場合、ＣＰＵ１８は、現在設定されているダビングモードを識別するための設定モード識別情報を記録（更新）するものとされている。上記ステップＳ１０８、及び後述するステップＳ１０９、Ｓ１１０の各モード設定処理は、指定されたダビングモードに応じて、上記設定モード識別情報を更新する処理となる。
例えば上記モード識別情報としては、各モードごとに用意されたフラグの値により現在の設定モードを識別可能とされた（例えばフラグ＝１のモードが設定モードを表すなど）情報とされており、上記モード設定処理としては、例えば指定されたモードのフラグのみが「１」でそれ以外のモードのフラグが「０」となるようにするなど、現在の設定モードが適正に表されるようにして上記設定モード識別情報を更新する処理となる。
【００７４】
また、上記ステップＳ１０５において、おまかせモードが指定されなかったとして否定結果が得られた場合は、ステップＳ１０６に進み、高速モードが指定されたか否かを判別する。
高速モードが指定されたとして肯定結果が得られた場合は、ステップＳ１０７において、自動電源オフ機能が有効であるか否かを判別した上で、自動電源オフ機能が有効であるとの肯定結果が得られた場合は、ステップＳ１０８に進み、おまかせモード設定処理を実行する。
【００７５】
また、上記ステップＳ１０７において、自動電源オフ機能が有効でないとして否定結果が得られた場合は、ステップＳ１０９に進んで高速モード設定処理を実行する。
【００７６】
また、先のステップＳ１０６において、高速モードが指定されなかったとして否定結果が得られた場合は、ステップＳ１１０に進み、静音モード設定処理を実行する。
【００７７】
[5-2．ダビング動作時の処理手順]
図６のフローチャートは、ダビング動作時に対応して実行されるべき具体的な処理の手順を示している。
ここで、図６においては従来例との差異を明確にすべく、先の図８にて説明した処理と同内容となる処理については同一のステップ番号を付している。
【００７８】
この図６と図８とを対比して分かるように、レコーダ側の処理としては、図８に示した従来例としてのレコーダ側の処理に対して、図中のステップＳ２０１の処理とステップＳ２０２の処理とが追加された点が異なる。
また、ドライブ側の処理としては、図８に示した従来例としてのドライブ側の処理に対して、ステップＳ３０１とステップＳ３０２の処理とが追加された点が異なるものとなっている。
【００７９】
この点を踏まえた上で、具体的な処理の手順について説明していく。
先ず、レコーダ側においては、ステップＳ１００１の処理により、ダビング開始指示が為されるまで待機するようにされている。すなわち、ユーザの操作入力として、ＨＤＤ３２に記録されるデータについての光ディスクＤへのダビングの開始を指示する操作入力が行われるまで待機するようにされる。
そしてステップＳ１００１において、このようなダビング開始を指示する操作入力が行われて、ダビング開始指示ありとの肯定結果が得られた場合は、ステップＳ１００２において、ドライブ側に対してパフォーマンス通知要求を行う。すなわち、ドライブ側制御部３６に対し、光ディスクＤと光ディスクドライブ２２との組み合わせで決まる設定可能な記録速度の情報（パフォーマンス情報と呼ぶ）の通知を要求するものである。
【００８０】
ドライブ側では、図中のステップＳ２００１の処理により、レコーダ側からの上記パフォーマンス通知要求が為されるまで待機するようにされており、上記パフォーマンス通知要求が為された場合は、ステップＳ２００２において、レコーダ側に対してパフォーマンス情報の通知を行う。
具体的に、ドライブ側制御部３６は、スタートアップ動作時などに特定した光ディスクＤのメディア種類の情報と、先の図２に示した記録速度パフォーマンス情報３７ａとに基づき、装填された光ディスクＤに対応して設定可能な記録速度の情報を取得し、当該取得した設定可能記録速度の情報をパフォーマンス情報としてドライブ側制御部２１に対して通知する。
【００８１】
レコーダ側では、ステップＳ１００３の処理により上記ドライブ側からのパフォーマンス通知が為されるまで待機するようにされており、上記パフォーマンス通知が為されたとして肯定結果が得られた場合は、ステップＳ１００４において、設定されたダビングモードが高速ダビングモードであるか否かの判別を行う。すなわち、先に述べた設定モード識別情報に基づき、現在の設定モードが高速ダビングモードであるか否かを判別するものである。
【００８２】
ステップＳ１００４において、現在の設定モードが高速ダビングモードであるとして肯定結果が得られた場合は、ステップＳ１００５に進んで、ドライブ側に対して最高速度の指示を行う。具体的には、上述のようにしてドライブ側から取得したパフォーマンス情報により示される記録可能な速度のうちから最高速となる記録速度を選択し、当該選択した最高速としての記録速度を指示する速度指示情報をドライブ側制御部３６に対して送出する。
ここで、本例の場合、上記速度指示情報は、記録データ長と記録時間長の情報の組み合わせで記録速度を指示する情報とされている。
例えば記録時間長＝１０００ｍｓに対し、記録データ長＝３５９６０Bytesであれば、ＢＤの場合における８倍速相当の記録速度を表すものとなる。
【００８３】
また、上記ステップＳ１００４において、設定されたダビングモードが高速ダビングモードではないとして否定結果が得られた場合は、ステップＳ２０１に進んで、設定モードが静音モード（静音ダビングモード）であるか否かを判別する。
ステップＳ２０１において、設定モードが静音モードであるとして肯定結果が得られた場合は、ステップＳ１００６に進み、静音用速度の指示を行う。
例えばこの場合も従来と同様に、静音ダビングモード時に対応して設定される上記静音用速度としては２倍速を設定する。
なお、ドライブ側から取得したパフォーマンス情報によりドライブ側が２倍速の記録速度に対応していないとされる場合には、対応可能な記録速度のうちで２倍速に近い記録速度を指示する。
ステップＳ１００６においては、上記速度指示情報として、このような２倍速、或いは２倍速に近い記録速度としての静音用速度を表す速度指示情報をドライブ側制御部３６に対して送出する。
【００８４】
また、上記ステップＳ２０１において、設定モードが静音モードではないとして否定結果が得られた場合は、ステップＳ２０２に進み、所定データパターンを含む速度指示情報をドライブ側に対して送出する。
【００８５】
ここで、上記ステップＳ２０１にて否定結果が得られた場合としては、設定モードは「おまかせ」ダビングモードであったということになる。
本実施の形態では、このようにダビング開始時において設定モードが「おまかせ」ダビングモードであった場合には、レコーダ側制御部２１が、予め定められた所定のデータパターンを含む速度指示情報を生成し、これをドライブ側制御部３６に対して送出する。
【００８６】
本例の場合、上記速度指示情報には、記録データ長の情報と記録時間長の情報とが含まれる。本例においては、「おまかせ」ダビングモードの設定時に対応してドライブ側制御部３６に対して送出する速度指示情報としては、少なくともこれら記録データ長の情報、記録時間長の情報のうち何れかを上記所定のデータパターンとしたものを生成する。
このとき、上記所定のデータパターンとしては、例えば通常使用することが想定されていない「０ｘＦＦＦＦＦＦＦＦ」などとする。
【００８７】
レコーダ側は、上記ステップＳ１００５、又はステップＳ１００６、又はステップＳ２０２の処理を実行した後は、ステップＳ１００７に処理を進めて、ドライブ側に対するＯＰＣ（Optimum Power Control）実行指示を行う。
【００８８】
一方、ドライブ側では、図中のステップＳ２００３の処理により、レコーダ側における上記ステップＳ１００５、又はステップＳ１００６、又はステップＳ２０２の処理によって送出される速度指示情報が受信されるまで待機するようにされている。
そして、上記ステップＳ２００３において、レコーダ側からの上記速度指示情報が受信されたとして肯定結果が得られた場合は、ステップＳ３０１において、所定データパターンを含むか否かを判別する。すなわち、受信した上記速度指示情報内に、上述した所定データパターンが含まれているか否かを判別するものである。
【００８９】
ステップＳ３０１において、上記速度指示情報内に上記所定データパターンが含まれていないとして否定結果が得られた場合は、ステップＳ２００４に進んで指示速度の情報を取得する処理を実行する。つまり、受信した速度指示情報が示す記録データ長と記録時間長の情報から記録速度を計算して取得するものである。
【００９０】
また、上記ステップＳ３０１において、上記速度指示情報内に上記所定データパターンが含まれているとして肯定結果が得られた場合は、ステップＳ３０２に進み、最高品質速度情報の取得処理を実行する。
つまり、当該ステップＳ３０２においては、例えばスタートアップ動作時などにおいて特定した光ディスクＤのメディア種類の情報と、先の図４に示した最高品質速度対応情報３７ｂとに基づき、装填された光ディスクＤに対応する最高品質速度情報を取得する処理を実行する。
【００９１】
上記ステップＳ２００４、又は上記ステップＳ３０２の処理を実行した後は、従来例の場合と同様にステップＳ２００５〜Ｓ２００８の処理を実行して、ＯＰＣによるチェックを行うようにされる。
具体的に、ステップＳ２００５においては、レコーダ側からのＯＰＣ実行指示が為されるまで待機するようにされており、ＯＰＣ実行指示が為された場合は、ステップＳ２００６に進み、図２に示した記録再生処理部３２に上記ステップＳ２００４又はステップＳ３０２により取得した記録速度を設定した上で、該設定記録速度でのＯＰＣを実行させる。そして、続くステップＳ２００７では、当該ＯＰＣの結果がＯＫであったか否か（例えば基準値以上の評価値が得られたか否か）を判別し、上記ＯＰＣの結果がＯＫとならなかった場合は、ステップＳ２００８に進んで記録速度を下げてＯＰＣをリトライさせた後、再びステップＳ２００７においてＯＰＣの結果がＯＫであったか否かを判別する。
つまりこれにより、実際に可能な記録速度への調整が為されるように図られている。
【００９２】
そして、上記ステップＳ２００７において、ＯＰＣの結果がＯＫであるとして肯定結果が得られた場合は、ステップＳ２００９に進んでレコーダ側に対しＯＰＣ成功通知を行う。
【００９３】
レコーダ側では、ステップＳ１００８の処理により、ドライブ側からの上記ＯＰＣ成功通知が為されるまで待機するようにされている。
そしてステップＳ１００８において、上記記録準備完了通知が為されたとして肯定結果が得られた場合は、ステップＳ１００９においてドライブ側へのライトコマンドの発行を行った後、続くステップＳ１０１０において、ドライブ側へのデータ転送を開始する。
【００９４】
また、ドライブ側では、上記ステップＳ２００９によるＯＰＣ成功通知を行った後は、ステップＳ２０１０の処理により上記ライトコマンドが受信されるまで待機するようにされており、当該ステップＳ２０１０において、上記ライトコマンドが受信されたとして肯定結果が得られた場合は、ステップＳ２０１１において、レコーダ側からの転送データの記録を開始させる。すなわち、レコーダ側から転送されてくるデータの光ディスクＤへの記録を開始するように、記録再生処理部３２に対する制御を行う。
【００９５】
＜６．実施の形態のまとめ＞
上記のようにして本実施の形態によれば、従来と同様の「高速」ダビングモード、「静音」ダビングモードによるダビング動作に加えて、新たに「おまかせ」ダビングモードとしての、記録品質を優先したダビング動作を実現することができる。
【００９６】
ここで、このように記録品質優先のダビング動作を実現するにあたっては、ユーザによる設定モードの別を把握しているレコーダ側制御部２１が、設定モードを把握していないドライブ側制御部３６に対して、設定モードに応じた記録速度の設定指示を行うべきものとなる。
先の説明からも理解されるように、本実施の形態では、「おまかせ」ダビングモードの設定時に対応して行われるレコーダ側制御部２１からドライブ側制御部３６への最高品質速度の設定指示は、「速度指示情報」としての、従来より用いられている既存のコマンドに対して、予め定められた所定データパターンを含ませることで行うものとしている。
このようにすることで、レコーダ側は具体的な最高品質速度が不明であっても、上記速度指示情報に所定データパターンを含ませさえすれば、ドライブ側に最高品質速度の設定指示を行うことができる。つまりこれにより、新たに追加した「おまかせ」ダビングモードに関しては、「高速」ダビングモードや「静音」ダビングモードの場合のようにレコーダ側から具体的な記録速度を指示するために必要となるドライブ側からのパフォーマンス情報の取得処理は不要とすることができ、その結果、「おまかせ」ダビングモードによる記録品質優先のダビング動作の実現化にあたりレコーダ側で従来例の場合から追加されるべき処理は、図６に示したステップＳ２０１とステップＳ２０２のみとすることができる。
【００９７】
また、上記のようにして最高品質速度の設定指示にあたりレコーダ側が具体的な最高品質記録速度の情報を把握している必要性がないということは、ドライブ側は、最高品質速度の設定にあたり、レコーダ側に対して最高品質速度対応情報３７ｂに基づく具体的な最高品質速度の通知を行う必要がないものとなる。
この点よりドライブ側としても、記録品質優先のダビング動作の実現にあたって追加すべき処理の削減が図られ、具体的に、従来例の場合から追加されるべき最高品質速度の設定に係る処理としては、ステップＳ３０１とステップＳ３０２のみとすることができる。
【００９８】
このようにして本実施の形態によれば、記録品質を優先するダビング動作を実現するにあたり、レコーダ側・ドライブ側の処理体系を従来例の場合から大幅に変更をせずに済むものとできる。
このように大幅な処理体系の変更が不要とされることで、記録品質優先のダビング動作を実現するにあたっての装置製造コストの増加を効果的に抑制できる。
【００９９】
＜７．変形例＞
以上、本発明の実施の形態について説明したが、本発明としてはこれまでに説明した具体例に限定されるべきものではない。
例えばこれまでの説明では、ユーザによるダビング設定が、ユーザによるダビング開始指示が為される以前に予め行われている場合を例示したが、ダビング設定は、ダビング開始指示が為されたタイミングで行われるようにすることもできる。
【０１００】
図７は、このようにダビング開始指示が為されたタイミングでダビング設定を行う場合に対応して行われるべき処理の手順を示している。
図示するようにしてこの場合は、先の図６にも示したステップＳ１００１において、ダビング開始指示が為されたとして肯定結果が得られた場合に、先の図５にて説明したステップＳ１０１〜Ｓ１１１の処理を実行する。そして、ステップＳ１０８又はステップＳ１０９又はステップＳ１１０によるモード設定処理を実行した後に、図６に示したステップＳ１００２に処理を進めることになる。
【０１０１】
またこれまでの説明では、レコーダ側（ホスト側）から送出された速度指示情報内に所定データパターンが含まれる場合に、ドライブ側にて記録速度を優先した記録速度を設定する場合を例示したが、逆に上記速度指示情報内に所定データパターンが含まれていない場合にドライブ側が記録速度を優先した記録速度を設定するようにもできる。具体的にその場合、レコーダ側は、「高速」ダビングモード、「静音」ダビングモードの設定時にはそれらの設定モードに対応した記録速度を指示するデータと共に上記所定データパターンを含んだ速度指示情報を生成してドライブ側に送出し、また「おまかせ」ダビングモードの設定時には上記所定データパターンを含まない（例えば任意の記録速度を指示する）速度指示情報を生成してドライブ側に送出する。そしてこの場合のドライブ側では、受信した速度指示情報内に上記所定データパターンが含まれる場合は当該速度指示情報により指示される記録速度を設定し、上記所定データパターンが含まれない場合は記録品質を優先した記録速度を設定する。
【０１０２】
また、これまでの説明では、本発明の記録装置がＴＶ放送を受信可能なＤＶＤレコーダやＢＤレコーダなどとしてのレコーダ機器に対して適用される場合を例示したが、本発明の記録装置としては、例えばパーソナルコンピュータなどの他の情報処理装置に対しても好適に適用することができる。
【符号の説明】
【０１０３】
１  レコーダ、１０  アンテナ、１１  チューナ、１２  復調・選局部、１３  デコーダ、１４,２０,３５  ＲＡＭ、１５  ユーザインタフェース制御部、１５ａ  受信部、１６  バス、１７  コンポーザ、１８,３３  ＣＰＵ、１９,３４  ＲＯＭ、２１  レコーダ側制御部、２２  光ディスクドライブ、２３  ＨＤＤ、Ｔin  アンテナ入力端子、ＴA  音声出力端子、ＴV  映像出力端子、３０  スピンドルモータ、３１  光学ピックアップ、３２  記録再生処理部、３６  ドライブ側制御部、３７  不揮発性メモリ、３７ａ  記録速度パフォーマンス情報、３７ｂ  最高品質速度対応情報、３８  通信インタフェース部、Ｄ  光ディスク
【図１】
2011040127.tif 000003
【図２】
2011040127.tif 000004
【図３】
2011040127.tif 000005
【図４】
2011040127.tif 000006
【図５】
2011040127.tif 000007
【図６】
2011040127.tif 000008
【図７】
2011040127.tif 000009
【図８】
2011040127.tif 000010